Podtech/llm-jp-corpus-v4-ja_patent huggingface dataset:
【手続補正書】
【提出日】平成16年4月27日(2004.4.27)
【手続補正１】
【補正対象書類名】明細書
【補正対象項目名】発明の名称
【補正方法】変更
【補正の内容】
【発明の名称】映像信号伝送方法、映像信号出力装置、付加情報抽出方法および付加情報抽出装置
【手続補正２】
【補正対象書類名】明細書
【補正対象項目名】特許請求の範囲
【補正方法】変更
【補正の内容】
【特許請求の範囲】
【請求項１】
微小レベルの付加情報を映像信号の映像同期信号に同期する映像信号区間毎に重畳して伝送する映像信号伝送方法であって、
前記微小レベルの付加情報を、前記映像信号区間毎に重畳開始位置を変えて重畳することを特徴とする映像信号伝送方法。
【請求項２】
前記微小レベルの付加情報の前記重畳開始位置は、発生させた乱数に基づいて決まる位置に変えることを特徴とする請求項１に記載の映像信号伝送方法。
【請求項３】
前記微小レベルの付加情報の前記重畳開始位置は、予め設定された複数の重畳開始可能位置の中から、発生させた乱数に基づいて選択される位置に変えることを特徴とする請求項１に記載の映像信号伝送方法。
【請求項４】
前記微小レベルの付加情報の前記重畳開始位置は、予め設定された複数の重畳開始可能位置について、予め決められた順番で前記重畳開始位置を変えるようにするための固定パターン位置情報に基づいて変えることを特徴とする請求項１に記載の映像信号伝送方法。
【請求項５】
前記微小レベルの付加情報の前記重畳開始位置は、前記映像信号により形成される画像の水平方向、または、垂直方向、あるいは、水平方向および垂直方向に変えるようにすることを特徴とする請求項１、請求項２、請求項３または請求項４に記載の映像信号伝送方法。
【請求項６】
前記微小レベルの付加情報を重畳する前記映像信号区間の画像の特性に応じて、前記重畳開始位置を変えるか否かを決めることを特徴とする請求項１、請求項２、請求項３、請求項４または請求項５に記載の映像信号伝送方法。
【請求項７】
前記画像の特性は、前記画像の高周波成分の値、平均輝度値、輝度値の分散のうちの少なくとも１つに基づいて得るようにすることを特徴とする請求項６に記載の映像信号伝送方法。
【請求項８】
前記画像の特性は、前記画像の動きに基づいて得るようにすることを特徴とする請求項６に記載の映像信号伝送方法。
【請求項９】
前記付加情報は、スペクトラム拡散されることにより微小レベルの信号とされたものであることを特徴とする請求項１、請求項２、請求項３、請求項４、請求項５、請求項６、請求項７または請求項８に記載の映像信号伝送方法。
【請求項１０】
微小レベルの付加情報を映像信号の映像同期信号に同期する映像信号区間毎に重畳して出力する映像信号出力装置であって、
微小レベルの付加情報を形成する情報形成手段と、
前記情報形成手段からの前記微小レベルの付加情報の重畳開始位置を、前記映像信号区間毎に異なるように設定する重畳開始位置設定手段と、
前記開始位置設定手段により設定された前記重畳開始位置から、前記情報形成手段により形成された前記微小レベルの付加情報を前記映像信号に重畳する付加情報重畳手段と
を備えることを特徴とする映像信号出力装置。
【請求項１１】
微小レベルの付加情報が、映像同期信号に同期する映像信号区間毎に、各映像信号区間毎で重畳開始位置を変えて重畳されている映像信号から、前記付加情報を抽出する付加情報抽出方法であって、
前記映像信号区間内において、前記微小レベルの付加情報の重畳が開始される可能性のある複数の位置から前記付加情報を抽出するようにすることにより、付加情報の重畳開始位置を特定し、特定した前記重畳開始位置から重畳されている前記付加情報を抽出することを特徴とする付加情報抽出方法。
【請求項１２】
前記微小レベルの付加情報の重畳が開始される前記重畳開始位置は、予め定められた複数の重畳開始可能位置のうちの１つとなるようにされており、
複数の前記重畳開始可能位置のそれぞれから、前記付加情報を抽出するようにすることにより、前記付加情報の重畳開始位置を特定し、特定した前記重畳開始位置から重畳されている前記付加情報を抽出することを特徴とする請求項１１に記載の付加情報抽出方法。
【請求項１３】
前記微小レベルの付加情報は、スペクトラム拡散されたものであり、逆スペクトラム拡散を行うことにより、前記付加情報を抽出するようにすることを特徴とする請求項１１または請求項１２に記載の付加情報抽出方法。
【請求項１４】
微小レベルの付加情報が、映像同期信号に同期する映像信号区間毎に、各映像信号区間で重畳開始位置を変えて重畳されている映像信号から、前記付加情報を抽出する付加情報抽出装置であって、
前記映像信号区間内において、微小レベルの前記付加情報の重畳が開始される可能性のある複数の位置から前記付加情報を抽出するようにすることにより、付加情報の重畳開始位置を特定し、特定した前記重畳開始位置から重畳されている前記付加情報を抽出する付加情報抽出手段を備えることを特徴とする付加情報抽出装置。
【手続補正３】
【補正対象書類名】明細書
【補正対象項目名】０００１
【補正方法】変更
【補正の内容】
【０００１】
【発明の属する技術分野】
この発明は、例えば、複製制御情報や著作権情報などの付加情報を映像信号に重畳して伝送する映像信号伝送方法、映像信号出力装置、これらの方法、装置により付加情報が重畳された映像信号から付加情報を抽出する付加情報抽出方法および付加情報抽出装置に関する。
【手続補正４】
【補正対象書類名】明細書
【補正対象項目名】００２０
【補正方法】変更
【補正の内容】
【００２０】
この発明は、以上の点にかんがみ、映像信号に重畳された付加情報が、映像信号により再生される画像を劣化させることがないように、付加情報を映像信号に重畳して伝送する伝送方法、出力装置、これらの伝送方法、出力装置が用いられて、付加情報が重畳された映像信号から付加情報を抽出する抽出方法および抽出装置を提供することを目的とする。
【手続補正５】
【補正対象書類名】明細書
【補正対象項目名】００４５
【補正方法】変更
【補正の内容】
【００４５】
【発明の実施の形態】
以下、図を参照しながら、この発明による映像信号伝送方法、映像信号出力装置、付加情報抽出方法および付加情報抽出装置の一実施の形態を説明する。
【手続補正書】
【提出日】平成16年12月6日(2004.12.6)
【手続補正１】
【補正対象書類名】明細書
【補正対象項目名】発明の名称
【補正方法】変更
【補正の内容】
【発明の名称】情報通信装置及びその制御方法、並びにコンピュータ読み取り可能な記憶媒体
【手続補正２】
【補正対象書類名】明細書
【補正対象項目名】特許請求の範囲
【補正方法】変更
【補正の内容】
【特許請求の範囲】
【請求項１】
複数の音声入力装置が接続され、カメラからの映像データを外部機器へ送信する情報通信装置であって、
前記カメラの制御角度およびズーム倍率のうち少なくとも１つに基づいて、前記複数の音声入力装置から入力される音声信号を制御する制御手段と、
前記制御手段の制御によって得られた音声データを前記外部機器へ送信する送信手段と、
を備えることを特徴とする情報通信装置。
【請求項２】
前記制御手段は、前記カメラの制御角度およびズーム倍率のうち少なくとも１つに基づいて、前記複数の音声入力装置から入力される音声信号のミキシング量を制御することを特徴とする請求項１に記載の情報通信装置。
【請求項３】
前記制御手段は、前記カメラの制御角度およびズーム倍率のうち少なくとも１つに基づいて、前記複数の音声入力装置のオン／オフの切替えを行うことを特徴とする請求項１または２に記載の情報通信装置。
【請求項４】
前記制御手段は、さらに前記カメラフォーカス位置に基づいて前記複数の音声入力装置から入力される音声信号を制御することを特徴とする請求項１ないし請求項３の何れか１つに記載の情報通信装置。
【請求項５】
複数の音声入力装置が接続され、カメラからの映像データを外部機器へ送信する情報通信装置の制御方法であって、
前記カメラの制御角度およびズーム倍率のうち少なくとも１つに基づいて、前記複数の音声入力装置から入力される音声信号を制御し、
前記制御によって得られた音声データを前記外部機器へ送信することを特徴とする情報通信装置の制御方法。
【請求項６】
複数の音声入力装置が接続され、カメラからの映像データを外部機器へ送信する情報通信装置の制御方法のプログラムコードが記憶された、コンピュータ読取可能な記憶媒体であって、
前記カメラの制御角度およびズーム倍率のうち少なくとも１つに基づいて、前記複数の音声入力装置から入力される音声信号を制御するプログラムコードと、
前記制御によって得られた音声データを前記外部機器へ送信するプログラムコードを有することを特徴とするコンピュータ読取可能な記憶媒体。
【手続補正３】
【補正対象書類名】明細書
【補正対象項目名】０００８
【補正方法】変更
【補正の内容】
【０００８】
本発明は上記の問題点に鑑みてなされたものであり、ネットワークを介して音声の入力を制御することができる情報通信装置およびその制御方法を提供するものである。
【手続補正４】
【補正対象書類名】明細書
【補正対象項目名】００１０
【補正方法】変更
【補正の内容】
【００１０】
即ち、本発明による情報通信装置は、複数の音声入力装置が接続され、カメラからの映像データを外部機器へ送信する情報通信装置であって、前記カメラの制御角度およびズーム倍率のうち少なくとも１つに基づいて、前記複数の音声入力装置から入力される音声信号を制御する制御手段と、前記制御手段の制御によって得られた音声データを前記外部機器へ送信する送信手段と、を備えることを特徴とする。
【手続補正５】
【補正対象書類名】明細書
【補正対象項目名】００１１
【補正方法】変更
【補正の内容】
【００１１】
また、本発明による情報通信装置の制御方法は、複数の音声入力装置が接続され、カメラからの映像データを外部機器へ送信する情報通信装置の制御方法であって、前記カメラの制御角度およびズーム倍率のうち少なくとも１つに基づいて、前記複数の音声入力装置から入力される音声信号を制御し、前記制御によって得られた音声データを前記外部機器へ送信ことを特徴とする。
【手続補正６】
【補正対象書類名】明細書
【補正対象項目名】００１２
【補正方法】変更
【補正の内容】
【００１２】
さらに、本発明によるコンピュータ読取可能な記憶媒体は、複数の音声入力装置が接続され、カメラからの映像データを外部機器へ送信する情報通信装置の制御方法のプログラムコードが記憶された、コンピュータ読取可能な記憶媒体であって、前記カメラの制御角度およびズーム倍率のうち少なくとも１つに基づいて、前記複数の音声入力装置から入力される音声信号を制御するプログラムコードと、前記制御によって得られた音声データを前記外部機器へ送信するプログラムコードを有することを特徴とする。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】０１０７
【補正方法】変更
【補正の内容】
【０１０７】
【発明の効果】
以上述べたように本発明によれば、カメラの制御角度やズーム倍率のうち少なくとも１つに基づいて複数の音声入力装置から入力される音声信号を制御しているので、データ量を増やすことなく、ユーザの所望する音声が得られる情報通信装置およびその制御方法を提供することができる。
【手続補正書】
【提出日】平成16年12月3日(2004.12.3)
【手続補正１】
【補正対象書類名】明細書
【補正対象項目名】特許請求の範囲
【補正方法】変更
【補正の内容】
【特許請求の範囲】
【請求項１】
原稿を照明する光源と線状の画像読取りセンサーとを有し、画像読取装置に取付けられるイメージセンサーユニットにおいて、
前記光源と前記画像読取りセンサーとは前記イメージセンサーユニットのハウジング部材に保持され、前記ハウジング部材は成型品で、画像読取りラインと略平行の向きにユニット回動用の軸、又はユニット回動用の軸受けを有していることを特徴とするイメージセンサーユニット。
【請求項２】
前記ハウジング部材は略直方体の形状を有しており、前記回動用の軸、又は回動用の軸受けは、前記ハウジング部材の略直方体の形状内に収まるように前記ハウジング部材に形成されていることを特徴とする請求項１記載のイメージセンサーユニット。
【請求項３】
請求項１に記載のイメージセンサーユニットを有し、前記イメージセンサーユニット又は前記原稿が移動しつつ前記原稿画像を読取る画像読取装置において、
前記イメージセンサーユニットを回動可能に保持する保持部材を有し、前記保持部材には前記イメージセンサーユニットの前記ハウジングが有する回動用の軸又は回動用の軸受けと係合する軸受け又は軸が設けられていることを特徴とする画像読取装置。
【請求項４】
原稿を照明する光源と線状の画像読取りセンサーとを有し、画像読取装置に取付けられるイメージセンサーユニットにおいて、
前記光源と前記画像読取りセンサーとは前記イメージセンサーユニットのハウジング部材に保持され、前記ハウジング部材は成型品で、前記ハウジング部材の前記原稿に対向する側に画像読取装置の原稿載置部材に当接する摺動部材を取付ける為の凹部を有することを特徴とするイメージセンサーユニット。
【請求項５】
前記凹部は、前記ハウジング部材に設けられた丸穴であることを特徴とする請求項４記載のイメージセンサーユニット。
【請求項６】
原稿を照明する光源と線状の画像読取りセンサーとを有し、画像読取装置に取付けられるイメージセンサーユニットにおいて、
前記光源と前記画像読取りセンサーとは前記イメージセンサーユニットのハウジング部材に保持され、前記ハウジング部材は成型品で、前記ハウジング部材の前記原稿に対向する側に画像読取装置の原稿載置部材に当接する摺動凸部が一体成型されていることを特徴とするイメージセンサーユニット。
【請求項７】
前記ハウジング部材に画像読取りラインと略平行の向きにユニット回動用の軸、又はユニット回動用の軸受けを有していることを特徴とする請求項４，６記載のイメージセンサーユニット。
【請求項８】
前記ハウジング部材に画像読取りラインと略平行方向に溝幅を有する溝部を設けたことを特徴とする請求項１，４，６，７記載のイメージセンサーユニット。
【請求項９】
前記ハウジング部材に画像読取りラインと略平行方向に突起幅を有する突起部を設けたことを特徴とする請求項１，４，６，７記載のイメージセンサーユニット。
【請求項１０】
前記突起部は、前記イメージセンサーユニットの略直方体の形状内に形成されていることを特徴とする請求項９記載のイメージセンサーユニット。
【請求項１１】
原稿台に置かれた原稿を走査して読取る画像読取装置であり、請求項４に記載のイメージセンサーユニットと、前記イメージセンサーユニットを保持する保持部材とを有し、前記原稿台に対して前記イメージセンサーユニットの読取りセンサーと略直角方向に前記保持部材を移動して前記原稿面の画像を走査読取りする画像読取装置において、
前記イメージセンサーユニットの前記凹部に、前記原稿台に突き当たる摺動部材を取付け、前記保持部材に対して前記イメージセンサーユニットを前記原稿台方向に付勢するバネを有することを特徴とする画像読取装置。
【請求項１２】
原稿台に置かれた原稿を走査して読取る画像読取装置であり、請求項６に記載のイメージセンサーユニットと、前記イメージセンサーユニットを保持する保持部材とを有し、前記原稿台に対して平行な方向で、前記読取りセンサーと直角な方向に前記保持部材を移動して前記原稿面の画像を走査読取りする画像読取装置において、
前記保持部材に対して前記イメージセンサーユニットを前記原稿台方向に付勢するバネを有することを特徴とする画像読取装置。
【請求項１３】
前記イメージセンサーユニットのハウジング部材に、画像読取りラインと略平行の向きにユニット回動用の軸、又はユニット回動用の軸受けを有し、前記保持部材には、前記イメージセンサーユニットの前記ハウジングが有する回動用の軸又は回動用の軸受けと係合する軸受け又は軸が設けられていることを特徴とする請求項１１，１２記載の画像読取装置。
【請求項１４】
前記イメージセンサーユニットのハウジング部材に、画像読取りラインと略平行方向に溝幅を有する溝部を設け、前記保持部材にイメージセンサーユニットの溝部と嵌合する突起部を設けたことを特徴とする請求項３，１１，１２記載の画像読取装置。
【請求項１５】
前記イメージセンサーユニットのハウジング部材に、画像読取りラインと略平行方向に突起幅を有する突起部を設け、前記保持部材にイメージセンサーユニットの突起部と嵌合する溝部を設けたことを特徴とする請求項３，１１，１２記載の画像読取装置。
【手続補正２】
【補正対象書類名】明細書
【補正対象項目名】０００６
【補正方法】変更
【補正の内容】
【０００６】
【課題を解決するための手段】
原稿を照明する光源と線状の画像読取りセンサーとを有し、画像読取装置に取付けられるイメージセンサーユニットにおいて、前記光源と前記画像読取りセンサーとは、前記イメージセンサーユニットのハウジング部材に保持され、前記ハウジング部材は成型品で、画像読取りラインと略平行の向きにユニット回動用の軸、又はユニット回動用の軸受けを有していることを特徴とする。これよりセンサー保持枠の部品を使用しないで装置を低コスト化、小型化できる。更に、センサー保持枠を使用しないことより、センサー保持枠の部品公差が除去できるので、イメージセンサーユニットをより高精度に支持できる。
【手続補正３】
【補正対象書類名】明細書
【補正対象項目名】００１４
【補正方法】変更
【補正の内容】
【００１４】
原稿台に置かれた原稿を走査して読取る画像読取装置であり、光源と画像読取りセンサーとが、イメージセンサーユニットのハウジング部材に保持され、前記ハウジング部材の前記原稿に対向する側に、画像読取装置の原稿載置部材に当接する摺動部材を取付ける為の凹部を有するイメージセンサーユニットと、イメージセンサーユニットを保持する保持部材とを有し、前記原稿台に対して前記読取りセンサーと略直角方向に前記保持部材を移動して前記原稿面の画像を走査読取りする画像読取装置において、前記イメージセンサーユニットの前記凹部に、前記原稿台に突き当たる摺動部材を取付け、前記保持部材に対して前記イメージセンサーユニットを前記原稿台方向に付勢するバネを有することを特徴とすることにより、装置全体が小型で、しかも高精度に原稿台ガラスに対しての間隔を維持して原稿の画像を読取る画像読取装置を提供できる。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正書】
【提出日】平成17年4月22日(2005.4.22)
【手続補正１】
【補正対象書類名】明細書
【補正対象項目名】特許請求の範囲
【補正方法】変更
【補正の内容】
【特許請求の範囲】
【請求項１】
入力手段及び出力手段（ＫＢＤ；ＬＣＤ）と、前記入力手段及び出力手段に接続され、加入者が端末から取り外して持ち運ぶことができるデータメモリ（ＭＥＭ）にアクセスするプロセッサ（μＰ）とを有する通信ネットワーク（ＭＲＮ）の加入者用の端末（ＭＳ）であって、前記データメモリが前記加入者に割り当てられたサービスプロファイルのデータを保持する消去可能メモリ（ＭＥＭ）であり、前記プロセッサ（μＰ）が、前記加入者が前記サービスプロファイルの前記データを前記加入者に対して出力させ、前記データを変更することができるように前記入力手段及び出力手段（ＫＢＤ；ＬＣＤ）を制御することを特徴とする端末（ＭＳ）。
【請求項２】
前記データメモリ（ＭＥＭ）が前記加入者の識別情報が記憶されている許可カード（ＳＩＭ）に配置され、前記端末（ＭＳ）が前記プロセッサ（μＰ）に接続されたカードリーダ（ＩＦ）をさらに含み、前記カードリーダ（ＩＦ）が前記データメモリ（ＭＥＭ）の読取りと書込みを行うための許可カード（ＳＩＭ）を受容することを特徴とする請求項１に記載の端末（ＭＳ）。
【請求項３】
前記端末が移動ステーション（ＭＳ）であり、前記通信ネットワークが移動無線ネットワーク（ＭＲＮ）であることを特徴とする請求項２に記載の端末（ＭＳ）。
【請求項４】
前記サービスプロファイルの前記データが、前記加入者がどのような通信サービスに加入しており、それらの通信サービスのうちのどの通信サービスが起動されているかを示すことを特徴とする請求項１に記載の端末（ＭＳ）。
【請求項５】
前記出力手段が前記サービスプロファイルの前記データを表示する視覚出力手段（ＬＣＤ）であることを特徴とする請求項１に記載の端末（ＭＳ）。
【請求項６】
前記入力手段及び出力手段が音声入力手段及び音声出力手段であり、前記プロセッサが前記サービスプロファイルの前記データの音声制御問合わせ及び変更を制御することを特徴とする請求項１に記載の端末（ＭＳ）。
【請求項７】
カードリーダを含む端末（ＭＳ）に挿入するための通信ネットワーク（ＭＲＮ）の加入者用の許可カード（ＳＩＭ）であって、加入者が端末から取り外して持ち運ぶことができ、データメモリ（ＭＥＭ）が許可カード（ＳＩＭ）に配置されており、
前記データメモリが前記加入者に割り当てられたサービスプロファイルの変更可能データを保持する消去可能メモリ（ＭＥＭ）であることを特徴とする許可カード（ＳＩＭ）。
【請求項８】
各端末が、入力手段及び出力手段（ＫＢＤ；ＬＣＤ）と、前記入力手段及び出力手段に接続され、加入者が端末（ＭＳ）から取り外して持ち運ぶことができるデータメモリ（ＭＥＭ）にアクセスするプロセッサ（μＰ）とを有する加入者用の端末（ＭＳ）を含む通信ネットワーク（ＭＲＮ）であって、
前記データメモリが前記加入者に割り当てられたサービスプロファイルのデータを保持する消去可能メモリ（ＭＥＭ）であり、前記プロセッサ（μＰ）が、前記加入者が前記サービスプロファイルの前記データを前記加入者に対して出力させ、前記データを変更することができるように前記入力手段及び出力手段（ＫＢＤ；ＬＣＤ）を制御することを特徴とする通信ネットワーク（ＭＲＮ）。
【請求項９】
前記データメモリ（ＭＥＭ）に記憶されている前記サービスプロファイルデータのコピーを含む少なくとも一つのデータベース（ＨＬＲ）をさらに含むことを特徴とする請求項８に記載の通信ネットワーク（ＭＲＮ）。
【請求項１０】
入力手段及び出力手段（ＫＢＤ；ＬＣＤ）と、加入者が端末（ＭＳ）から取り外して持ち運ぶことができるデータメモリ（ＭＥＭ）にアクセスするプロセッサ（μＰ）とを有する端末（ＭＳ）を加入者が操作する、通信ネットワーク（ＭＲＮ）の加入者に割り当てられたサービスプロファイルのデータを変更する方法（１００）であって、
前記サービスプロファイルの前記データを前記データメモリに記憶するステップと、
前記入力手段（ＫＢＤ）を操作することによって、前記サービスプロファイルの前記データの少なくとも一部の出力を要求するステップ（ステップ１１５）と、
前記データメモリ（ＭＥＭ）から前記サービスプロファイルの前記要求されたデータを読み取り、それらを前記出力手段（ＬＣＤ）上で出力するステップ（ステップ１２０）と、
前記出力手段（ＬＣＤ）を介して前記加入者に対して変更する前記サービスプロファイルデータを指定するように要求するステップ（ステップ１２５）と、
変更すべき前記データを前記通信ネットワークに送るステップ（ステップ１３５）と、
前記通信ネットワークにおいて前記サービスプロファイルの前記変更が技術的に実現可能か否かを少なくとも検査するステップと（ステップ１４０）、
前記変更が実現可能な場合、前記変更されたデータを前記通信ネットワークのデータベースに記憶し、前記変更の確認を前記端末に送るステップ（ステップ１４５）と、
前記確認の受信後に、前記変更されたデータを前記データメモリ（ＭＥＭ）に書き込むステップ（ステップ１５０）とを特徴とする方法。
【手続補正書】
【提出日】平成17年4月14日(2005.4.14)
【手続補正１】
【補正対象書類名】明細書
【補正対象項目名】特許請求の範囲
【補正方法】変更
【補正の内容】
【特許請求の範囲】
【請求項１】
電話／ファックスメッセージを記憶する少なくとも一つのネットワークメモリを含む電話ネットワークを介して、
前記電話ネットワークに結合される回線インタフェース、
前記回線インタフェースに結合されるプロセッサ、及び
前記プロセッサに結合される端末メモリ
を含む端末と、
前記電話ネットワークに結合される少なくとも一つのアクセスポイント、及び
データコネクションを介して前記アクセスポイントに結合される、データメッセージを記憶するサーバメモリを備えた少なくとも一つのサーバ
を含むアクセス手段との間でデータを交換するシステムであって、
前記サーバメモリと前記ネットワークメモリを結合して、前記メモリの一方に記憶されたメッセージに関する情報を他方のメモリに記憶する結合手段を含むことを特徴とするシステム。
【請求項２】
前記端末メモリが前記サーバのアドレスを規定するサーバコードを含むことを特徴とする請求項１に記載のシステム。
【請求項３】
前記サーバメモリが前記端末のアドレスを規定する端末コードを含むことを特徴とする請求項１または２に記載のシステム。
【請求項４】
前記サーバが通信信号を介して前記端末へ送信するために前記電話ネットワークに供給される表示信号を生成する生成手段を含むことを特徴とする請求項３に記載のシステム。
【請求項５】
電話／ファックスメッセージを記憶する少なくとも一つのネットワークメモリを含む電話ネットワークを介して、
前記電話ネットワークに結合される回線インタフェース、
前記回線インタフェースに結合されるプロセッサ、及び
前記プロセッサに結合される端末メモリ
を含む端末とデータを交換し、
前記電話ネットワークに結合される少なくとも一つのアクセスポイント、及び
データコネクションを介して前記アクセスポイントに結合される、データメッセージを記憶するサーバメモリを備えた少なくとも一つのサーバ
を含むアクセス手段であって、
前記サーバメモリと前記ネットワークメモリを結合して、前記メモリの一方に記憶されたメッセージに関する情報を他方のメモリに記憶する結合手段を含むことを特徴とするアクセス手段。
【請求項６】
前記サーバメモリが前記端末のアドレスを規定する端末コードを含むことを特徴とする請求項５に記載のアクセス手段。
【請求項７】
前記サーバが通信信号を介して前記端末へ送信するために前記電話ネットワークに供給される表示信号を生成する生成手段を含むことを特徴とする請求項６記載のアクセス手段。
【請求項８】
電話／ファックスメッセージを記憶する少なくとも一つのネットワークメモリを含む電話ネットワークを介して、
前記電話ネットワークに結合される少なくとも一つのアクセスポイント、及び
データコネクションを介して前記アクセスポイントに結合される少なくとも一つのサーバ
を含むアクセス手段とデータを交換し、
前記電話ネットワークに結合される回線インタフェース、
前記回線インタフェースに結合されるプロセッサ、及び
前記プロセッサに結合される端末メモリを含む端末であって、
前記端末メモリが前記サーバのアドレスを規定するサーバコードを含み、前記アクセス手段が前記サーバメモリと前記ネットワークメモリを結合して、前記電話／ファックスメッセージに関する情報を前記サーバメモリに記憶する結合手段を含み、前記サーバメモリが前記端末のアドレスを規定する端末コードを含み、前記サーバが通信信号を介して前記端末へ送信するために前記電話ネットワークに供給される表示信号を生成する生成手段を含むことを特徴とする端末。
【手続補正書】
【提出日】平成17年8月24日(2005.8.24)
【手続補正１】
【補正対象書類名】明細書
【補正対象項目名】特許請求の範囲
【補正方法】変更
【補正の内容】
【特許請求の範囲】
【請求項１】
基板（１１）上に構成されるコンデンサー（１０、５０、１００）であって、
第１の誘電体層（２０）によって前記基板（１１）から隔てられた第１の導電層（１４、１０１）と、
第２の誘電体層（１９）によって前記第１の導電層から隔てられた第２の導電層（１５、１０２）から構成されており、
前記第２の導電層（１５、１０２）が、整列した配列をなす複数の電気的に分離された導体（１２、１１２）に分割されることと、前記導体が１つおきに第１の端子（３１）に接続され、残りの導体が、第２の端子（３２）に接続されており、前記第１の導電層（１４、１０１）に、前記第１の端子（３１）に接続された少なくとも１つの導体が含まれていることからなる、コンデンサー。
【請求項２】
前記第１の導電層（１４、１０１）が、整列した配列をなす複数の電気的に分離された導体から構成されており、前記導体が１つおきに前記第１の端子（３１）に接続され、残りの導体が前記第２の端子（３２）に接続されることからなる、請求項１のコンデンサー（１０、５０、１００）。
【請求項３】
前記第１の導電層（１４、１０１）における前記導体のどれもが、前記第２の端子（３２）に接続されていないことからなる、請求項１のコンデンサー（１０、５０、１００）。
【請求項４】
前記導体が、矩形の金属ストリップから構成されていることからなる、請求項１のコンデンサー（１０、５０、１００）。
【請求項５】
前記第１の導電層（１４）における前記金属ストリップが、前記第２の導電層（１５）における前記金属ストリップに対して平行であることからなる、請求項４のコンデンサー（１０、５０、１００）。
【請求項６】
前記第１の導電層（１０１）における前記金属ストリップが、前記第２の導電層（１０２）における前記金属ストリップに対して垂直をなすことからなる、請求項４のコンデンサー（１０、５０、１００）。
【請求項７】
前記第１の端子（３１）に接続された前記第２の導電層における導体が、前記第１と第２の端子間における容量を最大にするように選択されることからなる、請求項２のコンデンサー（１０、５０、１００）。
【手続補正書】
【提出日】平成16年9月3日(2004.9.3)
【手続補正１】
【補正対象書類名】明細書
【補正対象項目名】発明の名称
【補正方法】変更
【補正の内容】
【発明の名称】半導体装置およびその製造方法
【手続補正２】
【補正対象書類名】明細書
【補正対象項目名】特許請求の範囲
【補正方法】変更
【補正の内容】
【特許請求の範囲】
【請求項１】
主面に複数の表面電極を有する半導体チップと、
前記半導体チップを搭載し、かつチップ搭載面の大きさが前記半導体チップより小さいタブと、
前記タブの周囲に延在して設けられた複数のインナリードと、
前記タブを支持するタブ吊りリードと、
前記複数のインナリードと前記タブとの間に配置され、前記半導体チップを囲む枠状の電源接続部と、
前記半導体チップの複数の表面電極のうちの一部の表面電極と前記電源接続部とを接続するボンディングワイヤとを有し、
前記電源接続部は、前記タブ吊りリードと一体化しているとともに、基準電位を供給するグランド接続部であることを特徴とする半導体装置。
【請求項２】
請求項１記載の半導体装置において、前記電源接続部と前記複数のインナリードのうちの一部のインナリードとを接続するボンディングワイヤを有することを特徴とする半導体装置。
【請求項３】
請求項１記載の半導体装置において、前記タブおよび前記タブ吊りリードの一部は、前記インナリードの位置よりも前記半導体チップの主面と反対側の裏面側に配置されていることを特徴とする半導体装置。
【請求項４】
請求項１記載の半導体装置において、前記電源接続部は、前記インナリードの位置よりも前記半導体チップの主面と反対側の裏面側に配置されていることを特徴とする半導体装置。
【請求項５】
請求項１記載の半導体装置において、前記半導体装置は、ＱＦＰであることを特徴とする半導体装置。
【請求項６】
半導体チップより小さいチップ搭載面を備えたタブと、前記タブの周囲に延在する複数のインナリードと、前記タブを支持するタブ吊りリードと一体に形成されかつ前記複数のインナリードと前記タブとの間に配置されさらに前記タブを囲む枠状に形成された電源接続部とを有するリードフレームを準備する工程と、
主面に複数の表面電極を有する前記半導体チップを前記タブの前記チップ搭載面に搭載する工程と、
前記半導体チップの複数の表面電極とそれぞれに対応する前記インナリードとをボンディングワイヤによって電気的に接続する工程と、
前記半導体チップの複数の表面電極のうちの一部の表面電極と前記電源接続部とをボンディングワイヤによって電気的に接続する工程と、
前記半導体チップと前記ボンディングワイヤとを封止する工程とを有することを特徴とする半導体装置の製造方法。
【請求項７】
請求項６記載の半導体装置の製造方法において、前記電源接続部が基準電位を供給するグランド接続部であり、前記リードフレームを準備する際に、前記グランド接続部を前記タブ吊りリードと予め一体に形成した前記リードフレームを準備することを特徴とする半導体装置の製造方法。
【請求項８】
請求項６記載の半導体装置の製造方法において、前記半導体チップの表面電極と前記インナリードとをボンディングワイヤによって電気的に接続する工程で、前記電源接続部と前記複数のインナリードのうちの一部のインナリードとをボンディングワイヤによって電気的に接続することを特徴とする半導体装置の製造方法。
【手続補正３】
【補正対象書類名】明細書
【補正対象項目名】０００１
【補正方法】変更
【補正の内容】
【０００１】
【発明の属する技術分野】
本発明は、半導体製造技術に関し、特に、小タブ構造（タブの大きさを半導体チップの大きさより小さくした構造）の半導体装置およびその製造方法に関する。
【手続補正４】
【補正対象書類名】明細書
【補正対象項目名】０００９
【補正方法】変更
【補正の内容】
【０００９】
本発明の目的は、半導体チップにおけるパッドレイアウトの制約を無くす小タブ構造の半導体装置およびその製造方法を提供することにある。
【手続補正５】
【補正対象書類名】明細書
【補正対象項目名】００１２
【補正方法】変更
【補正の内容】
【００１２】
すなわち、本発明による半導体装置は、主面に複数の表面電極を有する半導体チップと、前記半導体チップを搭載し、かつチップ搭載面の大きさが前記半導体チップより小さいタブと、前記タブの周囲に延在して設けられた複数のインナリードと、前記タブを支持するタブ吊りリードと、前記複数のインナリードと前記タブとの間に配置され、前記半導体チップを囲む枠状の電源接続部と、前記半導体チップの複数の表面電極のうちの一部の表面電極と前記電源接続部とを接続するボンディングワイヤとを有し、前記電源接続部は、前記タブ吊りリードと一体化しているとともに、基準電位を供給するグランド接続部である。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】変更
【補正の内容】
【００１８】
さらに、本発明の半導体装置の製造方法は、半導体チップより小さいチップ搭載面を備えたタブと、前記タブの周囲に延在する複数のインナリードと、前記タブを支持するタブ吊りリードと一体に形成されかつ前記複数のインナリードと前記タブとの間に配置されさらに前記タブを囲む枠状に形成された電源接続部とを有するリードフレームを準備する工程と、主面に複数の表面電極を有する前記半導体チップを前記タブの前記チップ搭載面に搭載する工程と、前記半導体チップの複数の表面電極とそれぞれに対応する前記インナリードとをボンディングワイヤによって電気的に接続する工程と、前記半導体チップの複数の表面電極のうちの一部の表面電極と前記電源接続部とをボンディングワイヤによって電気的に接続する工程と、前記半導体チップと前記ボンディングワイヤとを封止する工程とを有するものである。
【手続補正書】
【提出日】平成16年11月11日(2004.11.11)
【手続補正１】
【補正対象書類名】明細書
【補正対象項目名】発明の名称
【補正方法】変更
【補正の内容】
【発明の名称】積層セラミック電子部品製造用の熱転写性誘電体材料
【手続補正２】
【補正対象書類名】明細書
【補正対象項目名】特許請求の範囲
【補正方法】変更
【補正の内容】
【特許請求の範囲】
【請求項１】
主として誘電体粒子と熱可塑性樹脂を含む誘電体層を支持体フィルム上に形成し、熱転写印刷に使用することを特徴とする積層セラミック電子部品製造用の熱転写性誘電体材料。
【請求項２】
支持体フィルム表面に下塗り層、誘電体層、およびオーバーコート層とをこの順で有し、
前記下塗り層がワックスを含有し、
前記誘電体層が誘電体粒子と熱可塑性樹脂を含有し、
前記オーバーコート層が熱可塑性樹脂または熱可塑性樹脂およびワックスを含有してなる請求項１に記載の積層セラミック電子部品製造用の熱転写性誘電体材料。
【請求項３】
前記誘電体粒子が少なくとも一般式ＡＢＯ3で表されるペロブスカイト型酸化物を含んでなる請求項１または請求項２に記載の積層セラミック電子部品製造用の熱転写性誘電体材料。
【請求項４】
前記下塗り層に含有されるワックスの含有量は、９０重量％〜１００重量％である請求項１ないし請求項３のいずれかに記載の積層セラミック電子部品製造用の熱転写性誘電体材料。
【請求項５】
前記下塗り層の厚さは、０．１〜１．５μｍである請求項１ないし請求項４のいずれかに記載の積層セラミック電子部品製造用の熱転写性誘電体材料。
【請求項６】
サーマルヘッドによるパターン加熱によってそのパターン部分の誘電体が転写されてなる請求項１ないし請求項５のいずれかに記載の積層セラミック電子部品製造用の熱転写性誘電体材料。
【手続補正書】
【提出日】平成16年5月25日(2004.5.25)
【手続補正１】
【補正対象書類名】明細書
【補正対象項目名】特許請求の範囲
【補正方法】変更
【補正の内容】
【特許請求の範囲】
【請求項１】
ウェハをベークするための半導体製造装置であって、
チャンバと、
前記チャンバ内に配置され、その上に前記ウェハが載置される加熱部と、
前記ウェハの主面と対向する内壁面を有し、前記加熱部上に載置された前記ウェハの主面と前記内壁面との間隔が一定であるカバーと、
前記ウェハの主面と対向する位置に設けられ、給気あるいは排気を行なう給排気口と、
前記ウェハの主面との間の間隔が前記カバーの内壁面と前記ウェハの主面との間の間隔と同一となるように前記給排気口と前記ウェハとの間に設けられ、通気孔を有する部材と、
を備えた半導体製造装置。
【請求項２】
前記チャンバ内には、外部から気体が供給され、
前記気体は、前記カバー内を通過した後に前記チャンバ内に送り込まれ、
前記カバーは、前記チャンバ内に送り込まれる前記気体の温度を上昇させるための気体通路を有する、請求項１に記載の半導体製造装置。
【請求項３】
前記カバーには、前記給排気口と連通する第１の気体通路と、前記チャンバを介して前記第１の気体通路と連通する第２の気体通路とが設けられ、
前記第２の気体通路は、前記第１の気体通路と前記カバーの内壁面とに沿って設けられる、請求項２に記載の半導体製造装置。
【請求項４】
前記部材は、前記通気孔が均一に設けられたプレートであり、
前記部材の周縁部は、前記カバーの内壁面と接続される、請求項１から３のいずれかに記載の半導体製造装置。
【請求項５】
ウェハをベークするための半導体製造装置であって、
チャンバと、
カバーとを有し、
前記カバーには、排気口と、該排気口の周囲に前記チャンバ内に気体を送り込むための気体通路とが設けられ、
前記排気口の周囲には、前記気体通路と連通するように複数の前記排気量調整弁が設けられる、半導体製造装置。
【請求項６】
前記排気量調整弁は、排気量を０．１（リットル／分）以上１（リットル／分）以下に調整することを特徴とする、請求項５に記載の半導体製造装置。
【請求項７】
請求項１から請求項６のいずれかに記載の半導体製造装置を用いてウェハを処理したことを特徴とする、ウェハの処理方法。
【手続補正２】
【補正対象書類名】明細書
【補正対象項目名】００１７
【補正方法】変更
【補正の内容】
【００１７】
この発明の他の局面では、半導体製造装置は、好ましくは、排気量を０．１（リットル／分）以上１（リットル／分）以下に調整する排気量調整弁を備える。
【手続補正３】
【補正対象書類名】明細書
【補正対象項目名】００１９
【補正方法】変更
【補正の内容】
【００１９】
上記の他の局面における半導体製造装置は、チャンバとカバーとを有する。カバーには、排気口と、この排気口の周囲にチャンバ内に気体を送り込むための気体通路とが設けられる。また、排気口の周囲には、気体通路と連通するように複数の排気量調整弁が設けられる。
【手続補正書】
【提出日】平成16年5月20日(2004.5.20)
【手続補正１】
【補正対象書類名】明細書
【補正対象項目名】０００８
【補正方法】変更
【補正の内容】
【０００８】
また、非水系電解液の溶媒としては、プロピレンカーボネート、γ−ブチロラクトン、アセトニトリル、ジメチルホルムアミド、スルホラン等が従来より公知である( 特開昭４９−６８２５号、特開昭６２−２３７７１５号 )。 
【手続補正２】
【補正対象書類名】明細書
【補正対象項目名】００１７
【補正方法】変更
【補正の内容】
【００１７】
そして、合成上の容易さを考慮すると、より好ましいテトラキス〔( パーフルオロアルキル )フェニル〕ボレートアニオンは、これらのパーフルオロアルキル基が、各フェニル基の３、５の位置に最大２個ずつ導入された一般式（２）、〔化５〕で表されるものである。 
【手続補正３】
【補正対象書類名】明細書
【補正対象項目名】００１８
【補正方法】変更
【補正の内容】
【００１８】
【化５】
1999168035.tif 000001
( 式中、ｎ＝１〜６の整数、ｋ＝０または１であり、各々のｋは同じでも異なっていてもよいが、全部のｋが同時に０になることはない。また、各々のｎは同じでも異なっていてもよいが、同一のフェニル基における−ＣnＦ2n+1基についてのｎは同一である。) このようなテトラキス〔( パーフルオロアルキル )フェニル〕ボレートアニオンを例示すれば、テトラキス〔３，５ビス( トリフルオロメチル )フェニル〕ボレートアニオン、テトラキス〔３，５ビス( ペンタフルオロエチル )フェニル〕ボレートアニオン、テトラキス〔３，５ビス( ヘプタフルオロプロピル )フェニル〕ボレートアニオン、テトラキス〔３，５ビス( ノナフルオロブチル )フェニル〕ボレートアニオン等が挙げられる。 
【手続補正４】
【補正対象書類名】明細書
【補正対象項目名】００３２
【補正方法】変更
【補正の内容】
【００３２】
金属集電体の両面には炭素材料を主成分とする電極層を形成する。炭素材料としては、比表面積の大きい活性炭、ポリアセンなどの粉末( 比表面積８００〜３５００ｍ2 ／ｇ程度 )が挙げられ、これに導電性物質として、カーボンブラックまたはカーボンウィスカーを、および結合剤（バインダー）としてポリテトラフルオロエオチレン、ポリフッ化ビニリデン、カルボキシメチルセルロース等を加え、アルコール等の液体潤滑剤の存在下で混練し、ロール圧延等によりシート状に成形し、乾燥したシート状成型物を、金属集電体の両面に、熱圧着するか、導電性接着剤等を介して接合することにより電極層が形成される。 
【手続補正５】
【補正対象書類名】明細書
【補正対象項目名】００４０
【補正方法】変更
【補正の内容】
【００４０】
電解液として、第四級オニウム塩（Ｃ2 Ｈ5 ）4Ｎ・ＴＦＰＢを、プロピレンカーボネート(以下「ＰＣ」という。)に溶解した濃度１．０モル／ｌの非水系電解液を使用し、これを上記分極性電極中に含浸させ、両分極性電極の間にポリプロピレン繊維不織布セパレータを挟み、ステンレス製ケースを、絶縁体であるガスケットを介してかしめて封口し、直径１６ｍｍ、厚さ１．７ｍｍのコイン型電気二重層コンデンサ素子を得た。 
【手続補正６】
【補正対象書類名】明細書
【補正対象項目名】００４４
【補正方法】変更
【補正の内容】
【００４４】
〔実施例３〕
実施例１で使用した電解液にかえて、第四級オニウム塩（ＣＨ3 ）（Ｃ2 Ｈ5）3Ｎ・ＴＦＰＢを、スルホラン( 以下「ＳＬ」ということがある。)とエチルメチルカーボネート(以下「ＥＭＣ」ということがある。)の混合溶媒( ＳＬ：ＥＭＣ＝７：３ )に溶解した濃度１．５モル／ｌの非水系電解液を使用する他は、実施例２と同一の実験を行った。結果を表１に示した。 
【手続補正７】
【補正対象書類名】明細書
【補正対象項目名】００４９
【補正方法】変更
【補正の内容】
【００４９】
【表１】
1999168035.tif 000002
【手続補正８】
【補正対象書類名】明細書
【補正対象項目名】００５０
【補正方法】変更
【補正の内容】
【００５０】
【発明の効果】
まず、実施例１と比較例１の結果を比較考察する。実施例１は、ＰＣ溶媒系で、比較例１で使用する従来の第四級オニウム塩（Ｃ2 Ｈ5 ）4Ｎ・ＢＦ4 のアニオン〔ＢＦ4 - 〕を、〔ＴＦＰＢ- 〕に代えたものであるが、放電容量の変化率が、従来の〔ＢＦ4 - 〕使用の場合、６５．１％であるのに対し、本発明の〔ＴＦＰＢ- 〕を使用する実施例１では、わずか１９．５％であり、また、内部抵抗の増加も少ない。すなわち、本発明の素子は、３．０Ｖという、高い使用電圧を印加して、長期的使用した時の作動性能の安定性に優れていることがわかる。
【手続補正書】
【提出日】平成17年8月17日(2005.8.17)
【手続補正１】
【補正対象書類名】明細書
【補正対象項目名】特許請求の範囲
【補正方法】変更
【補正の内容】
【特許請求の範囲】
【請求項１】
ネットワーク通信デバイスであって、
各々がデータのパケットを受信及び送信する複数のポートと、
前記複数のポートに結合されたポート制御回路であって、
前記複数のポート間でパケットを送るポート・マネジャと、
前記ポート・マネジャに結合されたポート・ボンディング回路であって、前記複数のポートの少なくとも２つをボンドしてボンド・ポート・セットにして、前記パケットが前記ボンド・ポート・セットのポートから送られるようにするものであり、前記ボンド・ポート・セットを経由で送られるそれぞれのパケットに対して、前記ボンド・ポート・セットを通じての送信のために前記パケットを選択的に分配する、ポート・ボンディング回路と
を備えるポート制御回路と、
を備えるネットワーク通信デバイス。
【請求項２】
パケットを送信及び受信する複数のポートを有するネットワーク通信デバイスのポートをボンドする方法であって、
複数のポートのうちの少なくとも２つのポートを、前記少なくとも２つのポートの送信のために、ボンドされたポート、ボンド・ポート、と定めてボンド・ポート・セットを形成するステップと、
パケットを受信するステップと、
受信したパケットが前記ボンド・ポート・セット経由で送信されることを判断するステップと、
スループットが増加するように前記ボンド・ポートの１つを選択するステップと、
選択された前記ボンド・ポート経由で前記パケットを送信するステップと
を備える方法。
【請求項３】
請求項２に記載の方法であって、
前記パケットからソース識別子を検索するステップと、
選択された前記ボンド・ポートのポート識別子を確定するステップと、
前記ソース識別子を、選択された前記ボンド・ポートの前記ポート識別子とともに記憶するステップと、
同一のソース識別子をもつブロードキャスト・パケットを続いて受信するステップと、
選択された前記ボンド・ポートの前記ポート識別子を検索するステップと、
前記複数のポートの選択されたものへ前記ブロードキャスト・パケットをブロードキャストするステップであって、選択された前記ボンド・ポート経由で前記ブロードキャスト・パケットを送信することを含む、ステップと、
を更に備える方法。
【請求項４】
請求項３に記載の方法であって、
ボンドされていないポートで複数のパケットを受信するステップと、
各パケットからソース識別子を検索するステップと、
一意的なソース識別子のうちでボンド・ポート割り当てを均一に振り分けるように、前記一意的なソース識別子の各々に対して、前記ボンド・ポートの何れか１つを割り当てるステップと、
それぞれの一意的なソース識別子を、対応する割り当てられたボンド・ポートのポート識別子とともに記憶するステップと、
を更に備える方法。
【手続補正書】
【提出日】平成17年9月21日(2005.9.21)
【手続補正１】
【補正対象書類名】明細書
【補正対象項目名】特許請求の範囲
【補正方法】変更
【補正の内容】
【特許請求の範囲】
【請求項１】
ネットワークアダプタと複数の層を有するプロトコルスタックとを備えたネットワークノードにおいてデータを受信する方法であって、
ネットワーク媒体に結合されたトランシーバでパケットバイトを受信し、
該パケットバイトを前記トランシーバからダイレクトメモリアクセスユニットへ転送し、
該パケットバイトを前記ダイレクトメモリアクセスユニットからアダプタメモリへ転送し、
前記パケットバイトが前記ネットワーク媒体から前記メモリへ転送される際に前記着信データパケットの一部を形成するパケットバイトからコードを計算し、
該コードを前記プロトコルスタックに関連するコードチャネルへ転送し、
前記プロトコルスタックの前記複数の層のうちの第１の層におけるデータパケットから抽出されたデータを受信し、
該抽出されたデータを前記コードチャネルからのコードを使用して検証する、
という各ステップを有することを特徴とする、方法。
【請求項２】
前記コードがチェックサムコードである、請求項１に記載の方法。
【請求項３】
前記プロトコルスタックがＴＣＰ／ＩＰスタックである、請求項１に記載の方法。
【請求項４】
ネットワークアダプタと複数の層を有するプロトコルスタックとを備えたネットワークノードにおいてデータを受信する方法であって、
ネットワーク媒体からの着信データパケットを形成するパケットバイトをメモリに転送し、
前記着信パケットのパケットバイトをカウントし、
開始バイト位置により識別されるパケットバイトに基づいてコードを累算し、
該コードの累算を終了し、
該コードを前記プロトコルスタックに関連するコードチャネルへ転送し、
前記プロトコルスタックの前記複数の層のうちの第１の層におけるデータパケットから抽出されたデータを受信し、
該抽出されたデータを前記コードチャネルからのコードを使用して検証する、
という各ステップを有することを特徴とする、方法。
【請求項５】
前記コードの累算を終了する前記ステップが、
終了バイト位置に基づいて前記コードの累算を終了する、
というステップからなる、請求項４に記載の方法。
【請求項６】
前記コードの累算を終了する前記ステップが、前記コードの完成に必要な後処理を行うステップを含む、請求項４に記載の方法。
【請求項７】
ネットワークアダプタと複数の層を有するプロトコルスタックとを備えたネットワークノードにおいてデータを受信する方法であって、
チェックサムアルゴリズムを登録し、
ネットワーク媒体からの着信データパケットを形成するパケットバイトをメモリに転送し、
前記パケットバイトが前記ネットワーク媒体から前記メモリへ転送される際に前記着信データパケットの一部を形成するパケットバイトからコードを計算し、
該コードを前記プロトコルスタックに関連するコードチャネルへ転送し、
前記プロトコルスタックの前記複数の層のうちの第１の層におけるデータパケットから抽出されたデータを受信し、
該抽出されたデータを前記コードチャネルからのコードを使用して検証する、
という各ステップを有することを特徴とする、方法。
【請求項８】
チェックサムアルゴリズムを登録する前記ステップが、開始バイト位置及び終了バイト位置を指定するステップを含む、請求項７に記載の方法。
【請求項９】
パケットバイトからコードを計算する前記ステップが、
パケットバイトがネットワーク媒体からメモリへ転送される際に、着信データパケットの一部を形成するパケットバイトから、登録された各チェックサムアルゴリズム毎にコードを計算する、
というステップからなる、請求項７に記載の方法。